(57)【要約】【課題】射出成形プロセスの安全性のための高信頼性、簡単かつ独立の信号処理を保証する。【解決手段】プラスチック及びその他の可塑性材料を加工するためのサイクル的に作動する射出成形機の信号処理方法。射出成形機は、少なくとも１つの機械制御器（１６）、少なくとも１つの測定量（２０）を検出する少なくとも１つのセンサ（１２）、少なくとも１つのインタフェース（１８）を備え、少なくとも１つの測定量（２０）を処理ユニット（１４）のセンサ（１２）内の又はその近くの現場で処理する少なくとも１つの処理ユニット（１４）を有する。処理ユニット（１４）は、測定量（２０）を少なくとも１つのサイクルの少なくとも１つの部分において少なくとも１つの数学的関数によって処理し、その処理から得られた少なくとも１つの結果を少なくとも１つの分析の枠内で評価する。【選択図】図１
2020504037.tif 000002
【特許請求の範囲】
【請求項１】
プラスチック及びその他の可塑性材料を加工するためのサイクル的に作動する射出成形機の信号処理方法であって、
該射出成形機は、
・少なくとも１つの機械制御器（１６）、
・少なくとも１つの測定量（２０）を検出する少なくとも１つのセンサ（１２）、
・少なくとも１つの測定量（２０）を処理ユニット（１４）のセンサ（１２）内の又はセンサ（１２）の近くの現場で処理し及び少なくとも１つのインタフェース（１８）を備える少なくとも１つの処理ユニット（１４）
を有し、
処理ユニット（１４）は、測定量（２０）を少なくとも１つのサイクルの少なくとも１つの部分において少なくとも１つの数学的関数によって処理し、その処理から得られた少なくとも１つの結果を少なくとも１つの分析の枠内において評価すること
を特徴とする方法。
【請求項２】
請求項１に記載の方法において、
分析は少なくとも１つの目標−実際−分析を含み、処理ユニット（１４）は実際状態が目標状態からずれている場合少なくとも１つの信号を機械制御器（１６）へ及び／又は射出成形機のアクチュエータへ送信すること
を特徴とする方法。
【請求項３】
請求項１又は２に記載の方法において、
インタフェース（１８）は、リアルタイムデジタル接続として構成されていること
を特徴とする方法。
【請求項４】
請求項１〜３の何れかに記載の方法において、
インタフェース（１８）は機械制御器（１６）のバスクロック列の少なくとも１つのクロックとクロック同期的に動作すること及び／又は処理ユニット（１４）は該バスクロック列の少なくとも１つのクロックにおいて分析を行うこと
を特徴とする方法。
【請求項５】
請求項１〜４の何れかに記載の方法において、
処理ユニット（１４）は、分析における測定量（２０）の結果の評価のためのデータを機械制御器（１６）から受け取ること
を特徴とする方法。
【請求項６】
請求項１〜５の何れかに記載の方法において、
機械制御器（１６）も分析の少なくとも一部分を行うこと
を特徴とする方法。
【請求項７】
請求項１〜６の何れかに記載の方法において、
測定量（２０）は少なくとも１つの力及び／又は少なくとも１つの加速度を含み、数学的関数は測定量（２０）の少なくとも１つの時間導関数を含むこと
を特徴とする方法。
【請求項８】
請求項１〜７の何れかに記載の方法において、
前記得られた結果は、力微分及び／又は加速度微分の目標推移との比較によって、とりわけ定義された経路ストロークΔｓにおける許容可能な微分ｄＦ／ｄｔの設定によって、評価されること
を特徴とする方法。
【請求項９】
請求項７に記載の方法において、
前記少なくとも１つの力は、閉鎖ユニットの、有利には型締めユニット（１０ａ）の、少なくとも部分における力であること
を特徴とする方法。
【請求項１０】
請求項７に記載の方法において、
前記少なくとも１つの加速度は、閉鎖ユニットの、有利には型締めユニット（１０ａ）の、少なくとも部分についての加速度であること
を特徴とする方法。
【請求項１１】
請求項１〜１０の何れかに記載の方法において、
測定量（２０）は少なくとも１つの回転数及び／又は少なくとも１つのトルクを含み、数学的関数は少なくとも１つのフーリエ変換を含むこと
を特徴とする方法。
【請求項１２】
請求項１０に記載の方法において、
前記少なくとも１つの回転数及び／又は前記少なくとも１つのトルクは、駆動装置（３６）の、有利には回転型駆動装置の、回転数及び／又はトルクであること
を特徴とする方法。
【請求項１３】
請求項１〜１２の何れかに記載の方法において、
前記少なくとも１つの数学的関数によって、測定量の実際に測定された値及びそのために場合により設けられた許容範囲に依存することなく、急変が求められること
を特徴とする方法。
【発明の詳細な説明】
【技術分野】
【０００１】
関連出願の参照
本願は、２０１７年１月１２日に提出されたドイツ特許出願第１０ ２０１７ ２００ ３９４．４号を参照しかつその優先権を主張するものであり、該出願の開示内容全体もこの引用を以って完全に本願の対象をなすものとする。
【０００２】
本発明は、請求項１の上位概念に応じた、プラスチックおよびその他の可塑性物質を加工する射出成形機のための信号処理方法に関する。
【背景技術】
【０００３】
プラスチックおよびその他の可塑性物質を加工するための既知の射出成形機では、射出（成形）部材の製造のための射出サイクルの際に、通常、以下の操作が行われる。射出サイクル中に、型締めユニットが閉じられ、可塑化された材料が可塑化ユニットを介して射出成形工具ないし型工具内に射出注入される。短時間後、型締めユニットは再び開かれ、冷却された射出成形部材ないし成形部材（成形部品）は取り出されることができる。運転中、１つの射出成形機は多くのそのようなサイクルを実行する。射出成形のサイクルの終了時、射出成形された成形部材は、型工具が開かれたとき自動的に取り出されることが多い。その後、型締めユニットは次のサイクルの準備のために再び閉じられ、次の射出プロセスないしショットを実行することができる。
【０００４】
しかしながら、射出成形機の型工具の閉鎖プロセスの際に、型工具の閉鎖時又は成形部材の取出し時に種々の問題が生じ得る。型部材が成形後に型部材内に存在し（留まり）、適切に脱型（離型）されなかったこと又はそれ以外の異物が射出成形プロセスを阻害することは、細心の注意を払っても、排除することはできず、そのため、次の射出成形プロセスの際に、種々の問題が生じる。成形部材又はそれ以外の異物の挟み込みによって、例えば、通常とは異なる（異常な）力推移が生じ、これによって、更なる（その後に製造される）成形部材の質が損なわれることがあり、最悪の場合は、射出成形機又は射出成形機の部分又は型工具が損傷され得る。従来技術においては、そのような「悪性」プロセスを検出する複数の方法が知られている。
【０００５】
そのようなプロセスの既知の検出方法は、一般的に、時間にわたる力推移の観察及び／又は予め設定された経路ストロークΔｓについて許容可能な最大力の設定に基づいている。この目的のために、通常は、力推移又は力の実際状態が予め設定された経路ストロークΔｓにおいて検出（測定）され、比較パラメータとして考慮（使用）される必要がある。力推移は、所定の工程標識（Wegmarke）から、基準ないし目標状態からのずれに関して評価される。これは、種々の評価基準を用いて行うことができる。最も単純な場合、力閾値の大きさ（絶対値）の超過又は目標力推移からのずれが検出される。
【０００６】
更なる方法は、解放された運転力を必要な閉鎖力を超える小さな幅（絶対値）／オフセットに低減する。射出成形部材が型工具に挟み込まれると、工程標識「型工具閉鎖」は到達（達成）されず、時間モニタリングによって、エラー状態が検出される。
【０００７】
更なる方法は、「良」ケースにおいて走行（運転）運動を評価する。時間にわたる力プロフィルが検出される。この力プロフィルについて、包絡曲線（Huellkurve）が設定される。ここでサイクリックな運転時に、包絡曲線の境界が侵されると、これはエラーとして評価され、相応の措置が図られる。
【０００８】
力の代わりに、この力への対応付けが可能な他の物理量を検出することも可能である。これは、例えば、走行運動のための駆動モータのモータ電流とすることができる。
【０００９】
これらの方法は任意に組み合わせることが可能である。センサの組付け部位も変更可能である。工具固定（締付け確保）領域においてより良い信号の質を達成するために、２つ以上の明確に異なる測定領域を有するセンサ（複数）も使用することができる（閉鎖力領域／工具固定（締付け確保）・力領域）。
【００１０】
請求項１の背景をなすＥＰ １ １２１ ６２７ Ｂ１には、射出成形機の駆動ユニットの制御方法が記載されている。送信器システムは駆動モータの実際値推移（複数）を生成し、制御器ユニットは目標値推移と実際値推移を比較し、該比較から、駆動モータの制御のための位置信号を生成する。相互に通信する駆動ユニット（複数）の現場に（vor Ort）存在する制御器（複数）には、目標値推移（複数）及び必要に応じそれに属する許容差が予め設定され、そのため、現場で駆動ユニットの制御ができる。現場に存在する制御器は、一緒に現場にある制御器（複数）によっては最早単独では制御可能ではない目標値推移からのずれが生じたときに初めて機械制御器にフィードバックを与える。
【００１１】
ＤＥ １９９ ２５ ３０２ Ａ１には、とりわけプラスチック射出成形機の射出成形可能な材料の処理のための機械の閉鎖ユニットの安全な（確実な）閉鎖のための方法が記載されている。射出成形機の製造運転の開始前に、サーボモータの必要な電流需要量が可動（移動）型支持体の摺動路に依存して測定されかつ記憶される。次の製造運転中にないしは射出成形機の射出成形サイクル中に、可動型支持体の運動のための必要な電流需要量は開いた工具位置から閉じられた工具位置までモニタされかつ記録される。摺動路のある位置における電流需要量が記憶された電流需要量と場合により存在するオフセット値ないし予め規定された許容限界値との和より大きい場合、可動型支持体の運動は中止され、かくして、射出成形サイクルも中止される。
【００１２】
ＤＥ １０ ２００４ ０５０ ４４５ Ａ１には、射出成形機の運転方法が記載されている。この場合、目標量決定フェーズにおいて、まず、工具走行路の少なくとも１つ区間に沿った少なくとも１つの目標量推移が決定される。少なくとも１つの出力値の予設定推移が予め設定され、（１つの）測定ラン（試行）中に、目標量の少なくとも１つの結果値が測定されかつ記憶される。目標量の測定値（複数）から、工具走行路区間に沿った目標量推移が形成される。次いで、射出成形機は決定された目標値推移に応じて運転フェーズにおいて運転される。
【００１３】
ＤＥ ６００ １６ １０１ Ｔ２には、型保護領域の内部にある射出成形機の型保護装置が記載されている。擾乱評価監視装置は擾乱トルクを評価し、制御装置は、擾乱評価監視装置によって多数の事前の型締めプロセスにおいて評価される擾乱トルクの平均値を基礎として各型締めプロセス毎に擾乱トルクの上限値を規定する。型締付け確保領域において上限が上回られると、異常信号が出力される。
【００１４】
ＤＥ １０ ２００７ ０４３ ６７３ Ａ１には、射出成形工具の安全な閉鎖のための方法が記載されている。閉鎖プロセス中、予め設定された標識から、閉鎖駆動装置の運動力又は電流消費量は、閉鎖運動の速度推移に直接的又は間接的に依存する関数推移が規定（定義）され、及び、測定された関数推移が許容帯を考慮した予め設定された関数推移から離れたときに閉鎖駆動装置がスイッチオフされることによって制限される。
【先行技術文献】
【特許文献】
【００１５】
【特許文献１】ＥＰ １ １２１ ６２７ Ｂ１
【特許文献２】ＤＥ １９９ ２５ ３０２ Ａ１
【特許文献３】ＤＥ １０ ２００４ ０５０ ４４５ Ａ１
【特許文献４】ＤＥ ６００ １６ １０１ Ｔ２
【特許文献５】ＤＥ １０ ２００７ ０４３ ６７３ Ａ１
【発明の概要】
【発明が解決しようとする課題】
【００１６】
これらの従来技術はすべて、工具特異的な目標状態条件が必要とされ、これらが測定された実際状態と比較され、次いで、これに基づき、目標状態の枠外での運転の際に、機械制御ないし射出成形サイクルに対する介入が行われるという点において共通する。しかしながら、例えば閉鎖運動の速度、力、電流需要量のようなパラメータ又は完全な型工具が交換又は変化されると、目標値推移は、従って、目標状態のための従ってエラーのないサイクルのための条件は新たに検出（決定）されなければならない。更なるパラメータ変化とは、例えば、工具ガイドにおける変化する摩擦挙動又は温度（熱）膨張である。
【００１７】
本発明の課題は、これらの従来技術から出発し、射出成形プロセスの安全性のための高信頼性、簡単かつ非依存性（独立）の信号処理を保証することである。
【課題を解決するための手段】
【００１８】
この課題は、請求項１の特徴に応じた信号処理方法によって解決される。
【発明を実施するための形態】
【００１９】
有利な発展形態は従属請求項の対象である。
なお、特許請求の範囲において個別に記載されている特徴は、技術的に有意義な態様で相互に組み合わせることが可能であり、また、本発明の実施形態の更なるバリエーションが示されている、明細書に説明されている事項および図面に示されている詳細によって補うことができる。
【００２０】
プラスチック及びその他の可塑性材料を加工するためのサイクル的に作動する射出成形機の信号処理のための本方法は、不所望の射出成形プロセスの多くは例えば力推移に、力の相応の時間変化ｄＦ／ｄｔにおいて際立った特徴を示す急変（Ruck）ないし衝撃（Stoss）を有するという知見に基づいている。力の時間変化はまた、ニュートンの第２法則即ち力＝質量×加速度に基づき、加速度の時間変化ｄａ／ｄｔと結び付けられている。
【００２１】
本方法は、少なくとも１つの機械制御器を有する射出成形機の少なくとも１つのセンサによって少なくとも１つの測定量を検出する。少なくとも１つのインタフェースを有する少なくとも１つの処理ユニットにおいて、測定量は処理される。本発明に応じ、処理ユニットは、測定量を少なくとも１つのサイクルの少なくとも１つの部分において少なくとも１つの数学的関数によって処理し、その処理から得られた少なくとも１つの結果を少なくとも１つの分析の枠内で評価する。処理ユニットの分析は処理ユニットのセンサ内の又はその近くの現場で実行される。かくして、射出成形プロセスの安全（保護）のための高信頼性、簡単かつ独立の（非依存的な）信号処理が達成される。同時に、あり得るクリティカルな（危険な）力又は加速度のプロアクティブな（先取的な）検出がこれらの微分の評価によって可能になる。
【００２２】
これに関連する数学的関数は、数学のあらゆる分野からの任意の計算規則、例えば数学的関数、数学的演算、フィルタ及び変換を含む。
【００２３】
射出成形プロセスの目標を定めた保護のために有利には、分析は少なくとも１つの目標−実際−分析（Soll-Ist-Analyse）を含み、処理ユニットは実際状態が目標状態からずれている場合少なくとも１つの信号を機械制御器へ及び／又は射出成形機のアクチュエータへ送信する。これに関連するアクチュエータは、射出成形機の任意のコンポーネント、例えば駆動装置、シャフト及び／又は制御器を含む。
【００２４】
射出成形プロセスのデータの高速な伝送のために、インタフェースは、有利にはリアルタイムデジタル接続として構成される。
【００２５】
システムの損傷が生じる前に、デジタルノイズを最小化し、エラーを有する射出成形プロセスを検出し、該プロセスに介入するためには、迅速なデータ検出、高速なデータ交換及び迅速な分析が必要であるところ、インタフェースは機械制御器のバスクロック列の少なくとも１つのクロックとクロック同期的に動作し、及び／又は、処理ユニットは該バスクロック列の少なくとも１つのクロックにおいて分析を行う。クロック同期は、複数の異なるシステムにおいてデジタル化されている場合、大いに有用であるが、これは、複数の異なる下位システムの同期の知識によって、オーバーサンプリングなしで、極めて良好な信号検出が達成可能だからである。クロック同期は、あたかも自発的に、クロックジッタのためのデジタルフィルタのように作用する。このクロックジッタはそうでなければ（このフィルタリングがなければ）、上位の制御器のための信号を極めて広帯域で弱めるものである。とりわけ微分又はフーリエ変換のような数学的演算が複数の下位システムにおいて分配（分散）されて使用されることが望まれる場合、クロック同期がないとすれば、少なくとも１０倍から５０倍より高速なスキャンないしサンプリングレートが必要となるであろう、即ち、現場の評価ユニットは著しくより高速でなければならないであろう。
【００２６】
大規模かつ緻密な分析のために有利には、処理ユニットは、分析における測定量の結果の評価のためのデータを機械制御器から受け取る。
【００２７】
更に、分析の迅速な結果生成のために、機械制御器も分析の少なくとも一部分を行うと、有利である。
【００２８】
その際補充的に有利には簡単な信号検出及び信号処理を達成するために、測定量は少なくとも１つの力及び／又は少なくとも１つの加速度を含み、数学的関数は少なくとも１つの時間導関数を含む。
【００２９】
とりわけ、得られた結果は、力微分及び／又は加速度微分の目標推移との比較によって、例えば、夫々の型工具に依存しないで（から独立に）使用可能な区間毎の介入基準（Eingriffskriterien）を定義するための、定義された経路ストロークΔｓにおける許容可能な微分ｄＦ／ｄｔの設定（決定）によって、評価されると、有利である。
【００３０】
更に、簡単かつ高信頼性の信号処理のために有利には、少なくとも１つの力は、閉鎖ユニットの、有利には型締めユニットの、部分（複数）における力であり、又は、少なくとも１つの加速度は、閉鎖ユニットの、有利には型締めユニットの、部分（複数）についての加速度である。
【００３１】
簡単な信号検出及び信号処理のために、測定量は、更に有利には、少なくとも１つの回転数及び／又は少なくとも１つのトルクを含み、数学的関数は少なくとも１つのフーリエ変換である。
【００３２】
有利には、簡単かつ高信頼性の信号処理のために、少なくとも１つの回転数及び／又は少なくとも１つのトルクは、駆動装置の、有利には回転型駆動装置の、回転数及び／又はトルクである。
【００３３】
更なる利点は、従属請求項及び好ましい実施例についての以下の説明から明らかになる。特許請求の範囲において個別に列記された特徴は技術的に有意な態様で互いに組み合わせられることができるとともに、本発明の形態の更なるバリエーションが示されている、明細書の記載事項の説明によって及び図面の詳細によって補われることができる。
【００３４】
以下において、本発明は添付の図面に示された実施例に基づいて詳細に説明される。
【図面の簡単な説明】
【００３５】
【図１】本発明の方法を実行するための射出成形機の一例の模式的側面図。
【図２ａ】時間に依存する測定量の推移の一例。
【図２ｂ】図２ａの測定量の導関数の時間推移の一例。
【図２ｃ】ハイパスフィルタの一例でフィルタした図２ｂの推移。
【図２ｄ】図２ｃの推移のフーリエ変換の一例。
【図２ｅ】
【図３】本発明の方法のフローチャートの一例。
【実施例】
【００３６】
本発明は今や例示的に添付の図面を参照して詳細に説明される。尤も、実施例は単なる例に過ぎず、本発明のコンセプトを特定の配置構成に限定することを意図したものではない。本発明を詳細に説明する前に、本発明は装置の各構成部材および各方法工程に限定されるものではないことを言及しておく。何故ならば、これらの構成部材および方法工程は変更可能であるからである。ここで使用する概念は、特別な実施形態の説明のためにのみ規定されているのであって、限定的に使用されるものではない。さらに、明細書または特許請求の範囲において、単数形または不定冠詞が使用される場合、これらは、その意であることが全体の文脈から一義的に明らかである場合を除き、これらの要素の複数形をも意味するものとする。
【００３７】
図１は、型締めユニット１０ａと可塑化ユニット１０ｂとを有する、プラスチック及び他の可塑性物質の加工のための射出成形機１０の一例を模式図で示す。型締めユニット１０ａは、第１の、有利には定置（固定）の型支持体３０と、第２の、有利には可動（移動）の型支持体３２とを有し、可動型支持体３２は定置型支持体３０にタイバー３４を介して結合されている。定置型支持体３０と可動型支持体３２との間には、種々異なる型工具を収容するための型締め空間Ｒが形成されている。駆動装置３６、例えば回転型駆動装置は、射出成形型の開閉機構３８、例えばトグルレバー機構を操作する。開閉機構３８は、それ自身は支持プレート４０において支持され、第２の可動型支持体３２を移動させる。１つの射出成形サイクルの間、第２の可動型支持体３２は第１の定置型支持体３０の方向へ移動され、それによって型工具を閉鎖する。型工具の（２つの）工具半部は型締め空間Ｒ内に配置されておりかつこれらの型支持体に対して締め付け固定される。次いで、射出成形材料が可塑化ユニット１０ｂから型工具の型内空間に射出注入される。射出プロセス後、型工具が開かれ、型部材が型締め空間Ｒから、例えば不図示のエジェクト装置によって、脱型（離型）される。その後、新たな射出成形サイクルが開始される。
【００３８】
射出成形機１０は、少なくとも１つの機械制御器１６と、少なくとも１つの測定量２０を処理する少なくとも１つのインタフェース１８を有する少なくとも１つの処理ユニット１４と、該少なくとも１つの測定量２０を検出（測定）する少なくとも１つのセンサ１２とを有する。図１に示した好ましい一実施例では、射出成形機１０は、射出成形機１０の複数の異なる位置に、例えばタイバー３４、トグルレバー機構及び／又は駆動装置３６に配置されている８つのセンサ１２を有する。例えば、センサ１２の他の任意の何れの位置取りも可能であり、例えば型締めユニット１０ａの側部及び／又は可塑化ユニット１０ｂの側部に配置することができる。原理的には、センサ１２の個数は任意に設定できる。更に、複数のセンサ１２が夫々適切な測定部位に配置されかつ同じ測定量２０を検出することも可能である。センサ１２の個数のそのような増加及びこれに伴う、測定信号のより短い進行（伝播）時間に基づく高速な応答時間によって、信号の分解能と測定量２０の信号の質は有利に大きくなる。１つのセンサ１２が、例えば力や加速度のような複数の測定量２０を、例えば時間及び／又は位置に依存して検出することも可能である。
【００３９】
図２ａには、時間ｔに対する測定量２０の、例えば力Ｆの推移の一例が示されている。本実施例で問題となっているのは、型工具の部分（複数）の型締めの直前の型工具の閉鎖運動（Zufahren）の際の、評価のために重要な（関心のある）領域である。図２ａにおいて紙面左側から出発し、型工具は、正の力で移動された後、制動され、これにより負の力が生成し、次いで、力は型締めの際に再び大きくなる。破線の推移２１は、グラフを突き抜け出る正常な力生成を有する「良ケース」の一例を示す。水平の線２２は、監視限界線の一例を示すが、これが超過される際には、例えば型締めユニットの閉鎖の際の型工具固定（緊締）力が上回られており、そのため、エラー通知が発せられる。検出された測定量２０は、処理ユニット１４によって、少なくとも１つの数学的関数を有する少なくとも１つのサイクルの少なくとも１つの区間において処理される。この区間は、図２ｂでは、時点ｔ１とｔ２の間の監視ウインドウによって形成されている。少なくとも１つの数学的関数とは、例えば図２ｂに示されているような時間導関数又は図２ｄに示されているようなフーリエ変換である。少なくとも１つの得られる結果は、少なくとも１つの分析（解析）の枠（範囲）内において評価され、処理ユニット１４の分析はセンサ１２内の又はその近くの現場で処理ユニット１４内において行われる。原理的には、処理ユニット１４は例えばセンサ１２に隣接配置されること、センサ１２の一部であること又はセンサ１２に組み込まれることも可能である。
【００４０】
図２ｂでは、測定量２０は力であり、数学的関数は時間に対する導関数（Ableitung）である。図２ｂには、力の時間導関数（微分）ｄＦ／ｄｔが、時間ｔに対してプロットされて示されている。測定量２０の任意の推移、例えば力の時間導関数ｄＦ／ｄｔ及び／又は加速度の時間導関数ｄａ／ｄｔが、時間ｔ又は例えば型締めユニットが閉鎖運動の際に経過する経路（ストローク）ｓに対してプロットされることも可能である。更に、その測定量２０、例えばトルクも、（他の）数学的関数、例えばフーリエ変換、スペクトログラム（Spektrogramme）又はこれらに比肩する方法も可能である。
【００４１】
図３には、まとめとして、本発明の方法が開始ステップ１００と終了ステップ１４０とを有するフローチャートの一例で示されている。開始ステップ１００の後の第１のステップ１１０において、少なくとも１つの測定量２０が測定（検出）される。その後、この少なくとも１つの測定量２０は第２のステップ１２０において少なくとも１つの数学的関数によって処理される。第３のステップ１３０では、少なくとも１つの得られた結果が少なくとも１つの分析の枠内において評価され、その後、本方法はステップ１４０において終了し、そして、例えば次のサイクルが再び新たに開始される。
【００４２】
好ましい一実施例では、分析は少なくとも１つの目標／実際−分析を含み、処理ユニット１４は、目標状態から実際状態がずれた場合、少なくとも１つの信号を機械制御器１６に及び／又は射出成形機１０のアクチュエータに、例えば駆動装置３６に送信する。目標状態は任意に定義（規定）可能であり、例えば目標状態は、夫々所定の領域において変動しなければならず、そのため目標状態を形成する複数の測定量２０を含むことができる。尤も、原理的には、例えば、１つの及び／又は複数の測定量２０の時間導関数又は変換について目標状態を定義することも可能である。そのような領域は、例えば図２ｂ及び図２ｃにおいて監視限界線２３、２４及び時点ｔ１とｔ２の間の監視ウインドウによって形成される。同様の方法で、このことは実際状態にも適用される。実際状態は、例えば複数の測定量２０から、例えば力と駆動電流から形成可能であり、及び／又は、測定量２０の時間導関数及び／又はフーリエ変換によって形成可能である。
【００４３】
本方法に応じ、かくして、クリティカルな（危険な）衝撃プロセスを、力又は加速度微分の微分導関数（differenziell Ableitungen）及び／又は適切な周波数評価（フィルタリング）によって、場合によっては更に周波数領域における信号の考慮（ＦＦＴ、スペクトログラム又はこれらに比肩する方法）によって補って、検出することも、とりわけ可能である。本方法は、更に、時間領域及び周波数領域における特徴的擾乱の記憶及び再検出によって拡張されることができる。従って、一旦検出されたスペクトルが記憶されている場合、当該スペクトルが新たに発生した時、より迅速にエラー源又は擾乱源を推認することができる。
【００４４】
例えば急変プロセス及び衝撃プロセスのようなクリティカルな測定量推移は、付加的な基準によって評価することができる。そのため、例えば力微分又は加速度微分の目標推移は、例えば定義（規定）された経路ストロークΔｓにおける許容可能な微分ｄＦ／ｄｔの決定によって予め設定可能であり、かくして、目標推移からのずれに関し、処理ユニット１４又は機械制御器１６のための介入基準が定義（規定）可能である。
【００４５】
インタフェース１８は、好ましい更なる一実施例では、リアルタイムデジタル接続として、例えばフィールドバスインタフェース又はイーサネットインタフェースとして構成される。
【００４６】
実施例では、インタフェース１８は機械制御器１６のバスクロック列の少なくとも１つのクロックとクロック的に同期されて動作し、及び／又は、処理ユニット１４は該バスクロック列の少なくとも１つのクロックにおいて分析を行う。かくして、例えば、測定量２０の迅速な検出を達成することができる。クロックの同期は、複数の異なるシステムにおいてデジタル化される場合、大きな有用性を有する。なぜなら、複数の異なる下位システムの同期についての知識（知見）によって、オーバーサンプリングなしで、極めて良好な信号検出が達成可能だからである。クロック同期は、あたかも自発的に、クロックジッタのためのデジタルフィルタのように作用する。クロックジッタはそうでなければ（このフィルタリングがなければ）混入し、上位の制御器のための信号を極めて広帯域で弱めるものである。とりわけ微分又はフーリエ変換のような数学的演算が複数の下位システムにおいて分配的に（分散されて）使用されることが望まれる場合、クロック同期がないとすれば、少なくとも１０倍から５０倍より高速なスキャンないしサンプリングレートが必要となるであろう、即ち、現場の評価ユニットは著しくより高速でなければならないであろう。従って、本発明に応じたクロック同期的な、有利にはＶＡＲＡＮ・イーサネット・接続によって、本発明の変換（Umsetzung）は改善されることができる。
【００４７】
好ましい更なる一実施例では、処理ユニット１４は、分析における測定量の結果の評価のためのデータを機械制御器１６から受け取る。これらのデータによって、処理ユニット１４は、機械制御器１６にある情報を参照することができる。尤も、これらの情報は現場では処理ユニット１４にあるので、より高速な信号処理が可能である。
【００４８】
分析の迅速な結果生成のために、有利には、必要に応じて、機械制御器１６も分析の少なくとも一部を実行する。
【００４９】
図２ｂに応じた実施例では、測定量２０は少なくとも１つの力及び／又は少なくとも１つの加速度を含み、数学的関数は少なくとも１つの時間導関数である。この場合、時間導関数もまた、時点ｔ１とｔ２の間に形成された監視ウインドウにおいて監視限界線２３を上回り、その結果、エラー通知がなされることがわかる。
【００５０】
少なくとも１つの力ないし少なくとも１つの加速度は、閉鎖ユニットの、例えば型締めユニット１０ａの力ないし加速度であると、好ましい。
【００５１】
図２ｃは、更なる数学的関数の一例、例えばハイパスフィルタによる測定量２０の処理後の図２ｂの曲線を示す。フィルタリングによって、別のスケーリングが生じるが、時点ｔ１とｔ２との間に形成される監視ウインドウ内の検出され、微分されかつフィルタリングされた量の推移が監視限界線２４を上回ることも見出すことができ、この上回りによって、エラー通知が発生される。信号の監視限界線２４を上回る第１傾斜辺（Flanke）によって既に、早期に、重要な（有意な）ずれを検出することができる。尤も、例えば図２ｄ（図２ｃの信号をフーリエ変換したもの）に示されているように、測定量２０に対し任意の数の数学的関数を使用することも可能である。ここでは、とりわけ、破線で示されている良ケースからずれている周波数シフト（Frequenzverlagerungen）が明確になっている。
【００５２】
好ましい更なる一実施例では、測定量２０は少なくとも１つの回転数及び／又は少なくとも１つのトルクを含み、数学的関数は少なくとも１つのフーリエ変換である。
【００５３】
少なくとも１つの回転数及び／又は少なくとも１つのトルクは、駆動装置３６の、有利には回転型駆動装置の回転数及び／又はトルクであることが好ましい。この種のフーリエ変換は、駆動装置のモータの回転数ｎに対するトルクＭについて、図２ｅに示されている。同図においても、良ケースはコントロール（参照）ケースとして破線で示されている。コントロールケースにおいて駆動装置によって生成されるもののような、既知の周波数スペクトルのそばに、良ケースからずれたケースを見出すことができるだけではなく、更には、何がこのずれの原因であるか、例えばどのベアリングが損傷しておりかつ交換される必要があるかを正確かつ早期に認識することができる。
【００５４】
少なくとも２つの部分からなる型工具の閉鎖プロセスの際に、正常でない力推移が生じれば、このことは、大抵、不所望のプロセスを示唆する。これは例えば成形部材（成型部品）の挟み込み又は他の異物であり得る。
【００５５】
本方法は、測定値の不所望の推移の多くは、数学的関数を推移に対し適用することにより認識可能になる相応の時間変化率によって特徴付けられる急変を示すという知見を利用する。かくして、不所望の力推移は、力の相応の時間変化率ｄＦ／ｄｔによって特徴付けられる急変ないし衝撃を含む。これはまた、ニュートンの第２運動法則によって、加速度の時間変化率ｄａ／ｄｔと結びつけられている。その限りにおいて、本方法は、考察されるプロセスについての、運動の力微分又は加速度微分（ｄＦ／ｄｔ又はｄａ／ｄｔ）の時間推移の決定と、この（これらの）量（ないし値）の許容できないずれの検出とに基づいている。
【００５６】
従来技術において行われているように、既知の方法は、力推移の観察に基づいている。これらの方法はすべて、力推移が選択された動作点に強く依存すると考えていた。例えば閉鎖運動の速度のようなパラメータが変化されると、「良」ケースのための比較値が新たに検出（決定）されなければならず、場合によっては、監視限界線は適合化されなければならない。工具ガイドにおける変化する摩擦挙動又は温度（熱）膨張のようなプロセスにおける更なる変化により、同様に、評価基準は適合化されなければならなくなる。本発明により、まさにこれらの適合化は最早不要になり、ないしは、経験（知識）及び基準値を参照することができる。力又は加速度の微分によって、場合によっては更に適切なフィルタリングで補って、監視は、動作点にないしは力推移の許容可能な変化を結果として伴うプロセスパラメータによる影響に依存しなくなる。力推移におけるオフセットは除去され、適切なフィルタリングによって、関連する領域（エラーケース）に対する評価（分析）は抑制される。
【００５７】
本方法と極めて高速な信号検出（オーバースキャニングないしオーバーサンプリング）とを組み合わせると、信号処理器（Signalaufbereiter）としてのセンサ１２の近くの又はセンサ１２内の現場の処理ユニット１４において、制御器に依存しないで（から独立に）、更には射出成形サイクル自体にも依存しないで（から独立に）、エラーケースは評価されかつ検出されることができる。処理ユニット１４は機械制御器１６に対しエラーケースを例えばデジタル信号として示すことができる。更に、処理ユニット１４の機械制御器１６への接続はアナログ方式で又はフィールドバスインタフェースないし（リアルタイム）イーサネットインタフェースとして実現することができる。処理ユニット１４と機械制御器１６との間のこのインタフェースが適切に高速であれば、評価の部分又は本方法全体を機械制御器１６でも行うことができる。
【００５８】
急変ないし衝撃は、例えば挟み込まれた射出成形部材の部位において、とりわけ外部材がプラスチック領域において変形される前に生じる。急変又は衝撃は、その際、機械的な波動として、例えば縦波として、その発生部位からセンサへ進行する。システムのこの応答時間は、その都度最も短い進行時間（Laufzeit）を評価できるよう、適切な測定部位（複数）に２つ以上のセンサを評価のために配置することによって短縮することができる。同時に、センサの個数（の増加）とともに、力信号の分解能従って信号の質も向上する。
【００５９】
例えば力又は加速度のような測定量２０の測定は、例えば、型締めユニット１０ａのパワーフレームの支柱の内部又は表面において又は該フレームのタイバー３４の内部又は表面において、又は、信号分解能及び／又は信号の質を改善するために、対向する又は筋交いの第２の支柱（の表面）において実行することができる。場合によっては、測定は、最大のケースでは、すべての支柱又はタイバー３４の内部又は表面において実行することも可能である。
【００６０】
測定量２０の測定は、例えば定置型支持体３０若しくは可動型支持体３２、後部支持プレート４０、トグルレバー構成部材、駆動装置プレート、スピンドル、モータ駆動装置又はこれらに比肩する適切な構成要素のような、力が導入されるか又は力が貫通して導かれる構成要素（の表面）においても行うことができる。
【００６１】
上述の本方法は、従って、機械サイズ、閉鎖速度、摩擦、温度（熱）効果（流入）等のようなパラメータに依存することなく（から独立して）、及び、閉鎖ユニットの構造態様及び駆動技術に依存することなく（から独立して）、許容可能な工具負荷の監視を可能にする。
【００６２】
本明細書において説明した事項については、添付の特許請求の範囲と等価な範囲において変動する種々の修正、変更および適合を行うことができることは勿論である。
【符号の説明】
【００６３】
１０              射出成形機
１０ａ            型締めユニット
１０ｂ            可塑化ユニット
１２              センサ
１４              処理ユニット
１６              機械制御器
１８              インタフェース
２０              測定量
２１              測定量（良ケースの場合）
２２、２３、２４  監視限界線
３０              定置（固定）型支持体
３２              可動（移動）型支持体
３４              タイバー
３６              駆動装置
３８              機構
４０              支持プレート
１００            開始ステップ
１１０            第１ステップ
１２０            第２ステップ
１３０            第３ステップ
１４０            終了ステップ
Ｆ                力
Ｍ                トルク
Ｎ                回転数
Ｒ                型締め空間
ｔ                時間
ｔ１、ｔ２          時点
【図１】
2020504037.tif 000003
【図２ａ】
2020504037.tif 000004
【図２ｂ】
2020504037.tif 000005
【図２ｃ】
2020504037.tif 000006
【図２ｄ】
2020504037.tif 000007
【図２ｅ】
2020504037.tif 000008
【図３】
2020504037.tif 000009
【手続補正書】
【提出日】平成31年2月11日(2019.2.11)
【手続補正１】
【補正対象書類名】特許請求の範囲
【補正対象項目名】全文
【補正方法】変更
【補正の内容】
【特許請求の範囲】
【請求項１】
プラスチック及びその他の可塑性材料を加工するためのサイクル的に作動する射出成形機の信号処理方法であって、
該射出成形機は、
・少なくとも１つの機械制御器（１６）、
・少なくとも１つの測定量（２０）を検出する少なくとも１つのセンサ（１２）、
・少なくとも１つの測定量（２０）を処理ユニット（１４）のセンサ（１２）内の又はセンサ（１２）の近くの現場で処理し及びリアルタイムデジタル接続として構成された少なくとも１つのインタフェース（１８）によって１つの機械制御器（１６）に接続されている少なくとも１つの処理ユニット（１４）
を有し、
処理ユニット（１４）は、少なくとも１つの測定量（２０）を少なくとも１つのサイクルの少なくとも１つの部分において少なくとも１つの数学的関数によって処理し、その処理から得られた少なくとも１つの結果をセンサ（１２）内の又はセンサ（１２）の近くの現場での少なくとも１つの分析の枠内において評価すること、
分析は少なくとも１つの目標−実際−分析を含み、処理ユニット（１４）は実際状態が目標状態からずれている場合少なくとも１つの信号を機械制御器（１６）へ及び／又は射出成形機のアクチュエータへ送信すること
を特徴とする方法。
【請求項２】
請求項１に記載の方法において、
インタフェース（１８）は機械制御器（１６）のバスクロック列の少なくとも１つのクロックとクロック同期的に動作すること及び／又は処理ユニット（１４）は該バスクロック列の少なくとも１つのクロックにおいて分析を行うこと
を特徴とする方法。
【請求項３】
請求項１又は２に記載の方法において、
処理ユニット（１４）は、分析における測定量（２０）の結果の評価のためのデータを機械制御器（１６）から受け取ること
を特徴とする方法。
【請求項４】
請求項１〜３の何れかに記載の方法において、
機械制御器（１６）も分析の少なくとも一部分を行うこと
を特徴とする方法。
【請求項５】
請求項１〜４の何れかに記載の方法において、
測定量（２０）は少なくとも１つの力及び／又は少なくとも１つの加速度を含み、数学的関数は測定量（２０）の少なくとも１つの時間導関数を含むこと
を特徴とする方法。
【請求項６】
請求項１〜５の何れかに記載の方法において、
前記得られた結果は、力微分及び／又は加速度微分の目標推移との比較によって、とりわけ定義された経路ストロークΔｓにおける許容可能な微分ｄＦ／ｄｔの設定によって、評価されること
を特徴とする方法。
【請求項７】
請求項５に記載の方法において、
前記少なくとも１つの力は、閉鎖ユニットの、有利には型締めユニット（１０ａ）の、少なくとも部分における力であること
を特徴とする方法。
【請求項８】
請求項５に記載の方法において、
前記少なくとも１つの加速度は、閉鎖ユニットの、有利には型締めユニット（１０ａ）の、少なくとも部分についての加速度であること
を特徴とする方法。
【請求項９】
請求項１〜８の何れかに記載の方法において、
測定量（２０）は少なくとも１つの回転数及び／又は少なくとも１つのトルクを含み、数学的関数は少なくとも１つのフーリエ変換を含むこと
を特徴とする方法。
【請求項１０】
請求項８に記載の方法において、
前記少なくとも１つの回転数及び／又は前記少なくとも１つのトルクは、駆動装置（３６）の、有利には回転型駆動装置の、回転数及び／又はトルクであること
を特徴とする方法。
【請求項１１】
請求項１〜１０の何れかに記載の方法において、
前記少なくとも１つの数学的関数によって、測定量の実際に測定された値及びそのために場合により設けられた許容範囲に依存することなく、急変が求められること
を特徴とする方法。
【国際調査報告】
2020504037.tif 000010
2020504037.tif 000011
2020504037.tif 000012
2020504037.tif 000013
2020504037.tif 000014
2020504037.tif 000015